(57)【要約】【課題】  ＲＯＭ領域とＲ／Ｗ領域をあわせ持つパーシャルディスクで２つの領域で識別情報のウォブリングの量が異なる光ディスク原盤を記録することができる光ディスク原盤記録装置を得る。【解決手段】  Ｒ／Ｗ領域とＲＯＭ領域との識別情報領域のウォブル量とウォブル方向に対応した光ビームの偏向およびタイミングを設定指示する偏向量制御部７と、この偏向量制御部７から指示された偏向を、偏向ビームスプリッタ２で分離された２つのビームにもたせる２つの光偏向器５，６を備えた。【選択図】        図１    
2005259352.tif 000002
【特許請求の範囲】
【請求項１】
プリフォーマットされたＲＯＭ領域と、溝部もしくは溝部の間の溝間部を情報記録部とした書き換え可能領域を有する光ディスクであって、
ＲＯＭ領域のトラックと書き換え可能領域のトラックをそれぞれ複数個のセクタから構成し、
ＲＯＭ領域のトラックと書き換え可能領域のトラックをそれぞれトラック中心から半径方向にウォブルさせ、かつＲＯＭ領域のトラックのウォブル量と書き換え可能領域のウォブル形状を異なるようにし、
ＲＯＭ領域と書き換え可能領域のウォブルさせた部分に各セクタを識別するための識別情報を格納した光ディスク。
【請求項２】
請求項１記載の光ディスクを再生する光ディスク装置であって、
ＲＯＭ領域のウォブルさせた部分から各セクタの識別情報を読み出す手段と、
書き換え可能領域のウォブルさせた部分から各セクタの識別情報を読み出す手段を備え、
ＲＯＭ領域のトラックのウォブル量と書き換え可能領域のトラックのウォブル形状が異なることによらず各々適正にトラッキングし、
ウォブルさせた部分のピットパターンによりセクタの識別を行う光ディスク装置。
【請求項３】
請求項１記載の光ディスクを再生するとき、
ＲＯＭ領域のトラックのウォブル量と書き換え可能領域のトラックのウォブル形状が異なることによらず各々適正にトラッキングし、
ウォブルさせた部分のピットパターンによりセクタの識別を行う光ディスク再生方法。
【発明の詳細な説明】
【技術分野】
【０００１】
この発明は、再生専用の領域（以下、「ＲＯＭ領域」という）と書換え可能領域（以下、「Ｒ／Ｗ領域」という）をあわせ持つパーシャルディスクの原盤制作工程で用いる、フォトレジストを塗布したガラス原盤をカッテング（記録）する光ディスク原盤製造方法、及び光ディスクに関する。
【背景技術】
【０００２】
光ディスクの原盤をカッティング（記録）する装置は、きめの細かい溝やピットの構造を安定に得るために、２ビームカッテング法がよく用いられている。この方法には、例えばＲ／Ｗディスクで溝と識別情報領域とを別々のビームで記録するとか、Ｒ／Ｗ領域とＲＯＭ領域の混合したパーシャルディスクで、Ｒ／Ｗ領域とＲＯＭ領域を別々のビームで記録するとか、様々な用途に対応したものがある。ここでは、Ｒ／Ｗディスクで、溝と情報領域とを別々のビームで形成する場合について説明する。
【０００３】
図１２は、従来の光ディスク原盤記録装置の２ビームカッティングの光学系を示す図である。図において、１は記録用光源としてのアルゴンレーザ、２はアルゴンレーザ１からのビームを偏光方向の異なった２つのビームに分離する偏光ビームスプリッタ、２３はアドレス情報などを含む識別情報を変調する光変調器、２４はＲ／Ｗ領域の溝を変調（実際は一定幅の溝）する光変調器で、２つの光変調器２３と２４は溝部と識別情報部の切替え信号によって、溝を形成しているときは光変調器２４が、また識別情報を形成しているときは光変調器２３が、それぞれ出力を停止する。９はビームエクスパンダで、識別情報部のピット形成に最適なピット径になるよう、あらかじめ調整されている。１０はビームエクスパンダで、Ｒ／Ｗ領域の溝の形成に最適なピット径になるよう、あらかじめ調整されている。また、それぞれのビームエクスパンダ９と１０からの出力ビームが後述する所望の位置関係になるようにも調整されている。
【０００４】
１１はビームエクスパンダ９と１０からのビームを束ねる偏光プリズムで、この偏光プリズム１１からのビームは、記録レンズ１２でレジスト盤１３上に集光される。１４は記録レンズ１２の焦点を定めるためのビームを発光するヘリウム−ネオン（Ｈｅ−Ｎｅ）レーザ、１５はビームスプリッタで、Ｈｅ−Ｎｅレーザ１４からのビームを通過させるとともに、記録レンズ１２からの戻り光を光検知機１６に出力する。光検知機１６はビームスプリッタ１５からの戻り光からレンズの焦点方向のずれを検出し、その値をレンズ制御部１７に出力する。レンズ制御部１７は光検知機１６からのレンズの焦点方向ずれ値に応じて、記録レンズ１２の焦点方向の位置を制御する。２５は識別情報データ生成部である。
【０００５】
次に、上で述べた装置を使って記録（カッティング）するディスク原盤について説明する。図１３は従来の光ディスク原盤記録装置でカッティングされる、Ｒ／Ｗ型光ディスクのトラック構造を示す図である。また、図１４は従来の光ディスク装置でカッティングされる、Ｒ／Ｗ型光ディスクの識別情報の配置およびアドレス値を示す図である。これらの図から明らかなように溝幅は一定であり、識別情報を除いて連続した１本の渦を形成しており、情報はこの溝部に記録される。また、識別情報部は、溝幅の１／２だけ内周側にずれており、読み取りクロックの基準信号を作るためのＶＦＯ（Ｖａｒｉａｂｌｅ  Ｆｒｅｑｕｅｎｃｙ  Ｏｓｃｉｌｌａｔｏｒ）、物理セクタアドレスなどが入っているＰＩＤ（Ｐｈｙｓｉｃａｌ  ＩＤ）が４重記録されている。
【０００６】
原盤記録装置では、図１３および図１４に示した溝部と識別情報をカッティングする。以下、この装置の動作を説明する。図１２において、溝部と識別情報部の切替え信号が溝部を示したときは、光変調器２４がＯＮ、光変調器２３がＯＦＦされ、光変調器２４からの溝をカッティングするビームが、ビームエクスパンダ１０、偏光プリズム１１、記録レンズ１２を経てディスク原盤に照射されて溝を形成する。また、溝部と識別情報部の切替え信号が識別情報部を示したときは、光変調器２４がＯＦＦ、光変調器２３がＯＮされ、識別情報データ生成部２５からの識別情報で変調されたビームが、光変調器２３からビームエクスパンダ９、偏光プリズム１１、記録レンズ１２を経てディスク原盤に照射されて識別情報を形成する。それぞれのビームは、相対的にみて、識別情報部記録用のビームが溝形成ビームに対して溝幅Ｄｗの１／２だけ内周側へずれるよう調整されているので、図１２に示すような構成の識別情報部を形成することができる。
【０００７】
以上、Ｒ／Ｗ型で識別情報部が内周側へ溝幅の１／２ずれているディスクを記録する場合について述べた。これは、２つのビームの相対位置を、あらかじめ半径方向へ溝幅の１／２だけ識別情報用ビームをずらすように調整しておくものである。このほかには、２つのビームが同じ半径位置を通るが、スポット径が異なるように調整した装置もあり、この場合、制作されるディスクは、識別情報のウォブリングはないが、識別情報幅と溝幅とが異なるものである。
【発明の開示】
【発明が解決しようとする課題】
【０００８】
従来の光ディスク原盤記録装置は、以上のように構成されていたので、アドレス情報などが含まれる識別情報が、データトラック中心線上にある場合や、１つのウォブル量（トラック中心から１方向に一定量）を持つ場合は、問題なく識別情報を記録することが可能であった。しかし、識別情報が複数のウォブル量、例えばＲ／Ｗ部とＲＯＭ部とでウォブル量が異なる場合には、２ビームカッティングなどの従来の装置では偏向量が固定されているので、溝形成またはピット形成を行なえない。
【０００９】
この発明は、上記のような問題点を解決するためになされたもので、ＲＯＭ領域とＲ／Ｗ領域をあわせ持つ光ディスクに、２つの領域で識別情報のウォブリングの量が異なり、かつ、そのウォブルが内周と外周の両側に振られる、光ディスク原盤を記録することができる光ディスク原盤記録装置を得ることを目的とする。
【課題を解決するための手段】
【００１０】
この発明に係る光ディスクは、識別情報領域とデータ領域の全てがプリピット列で形成されたＲＯＭ領域を有する光ディスクであって、前記プリピット列の一部がトラック中心から半径方向にウォブルされるとともに、このウォブルされた部分で識別情報を表すものである。
【００１１】
また、更に、書換え可能領域を有し、前記書換え可能領域の一部がトラック中心から半径方向にウォブルされるとともに、このウォブルされた部分で識別情報を表し、前記ＲＯＭ領域のウォブル量と、前記書換え可能領域のウォブル量とは、各々独立に設定されるものである。
本発明の原盤製造方法は、上記光ディスクの原盤を製造する原盤製造方法において、偏光ビームスプリッタで分離された書換え可能領域とＲＯＭ領域を記録するそれぞれ２つのビームのうち、書換え可能領域の溝または識別情報を変調する光変調器からの入力ビームについては識別情報領域を記録するときに、あらかじめ設定されている一定ウォブル量とウォブル方向にウォブルさせ、ＲＯＭ領域のデータまたは識別情報を変調する光変調器からの入力ビームについては識別情報領域を記録するときに、あらかじめ設定されている一定ウォブル量とウォブル方向にウォブルさせ、さらにＲＯＭ領域と書換え可能領域の識別情報の一定ウォブル量を独立に与えて記録するものである。
また、書き換え可能領域のトラックを形成する際に、ＲＯＭ領域に隣接する１トラックの領域で前記光変調器の出力を停止するように制御するものである。
本発明はまた、
プリフォーマットされたＲＯＭ領域と、溝部もしくは溝部の間の溝間部を情報記録部とした書き換え可能領域を有する光ディスクであって、
ＲＯＭ領域のトラックと書き換え可能領域のトラックをそれぞれ複数個のセクタから構成し、
ＲＯＭ領域のトラックと書き換え可能領域のトラックをそれぞれトラック中心から半径方向にウォブルさせ、かつＲＯＭ領域のトラックのウォブル量と書き換え可能領域のウォブル形状を異なるようにし、
ＲＯＭ領域と書き換え可能領域のウォブルさせた部分に各セクタを識別するための識別情報を格納した光ディスクを提供する。
【発明の効果】
【００１２】
この発明は、以上説明したように構成されているので、以下に示すような効果を奏する。
【００１３】
この発明による光ディスク原盤製造方法においては、光ディスク原盤上のＲＯＭ領域に形成されるピットと、Ｒ／Ｗ領域に形成されるピットや溝部との間隔を十分にとることができ、ディスク形成工程において、ＲＯＭ領域のピットとＲ／Ｗ領域のピットや溝部との間がつながったり、この間の溝間部が十分平坦に形成されなくなる等の不良発生を防止することが可能となる。
【００１４】
また、この方法を用いて記録された光ディスク原盤を用いて光ディスク媒体を製造したとき、ＲＯＭ領域のピット列とＲ／Ｗ領域の溝部との間隔が十分に取られるので、容易なトラッキングが可能となる。
【発明を実施するための最良の形態】
【００１５】
光ディスクの一つの形態として、ディスクの一部が書換え可能な（Ｒ／Ｗ）領域で、他の領域は再生専用（ＲＯＭ）領域であるパーシャルＲＯＭディスクというものがある。この発明の実施の形態では、このようなＲＯＭ領域とＲ／Ｗ領域の両方を持つ光ディスクの原盤制作工程で用いる、フォトレジストを塗布したガラス原盤をカッテング（記録）する光ディスク原盤記録装置について述べる。
【００１６】
実施の形態１．
以下、この発明の実施の形態１を図に基づいて説明する。
図１はこの発明の実施の形態１の光ディスク原盤記録装置の光学系の構成例を示すブロック図である。図において、１は記録用光源としてのアルゴンレーザ、２はアルゴンレーザ１からのビームを偏光方向の異なった２つのビームに分離する偏光ビームスプリッタ、３はＲＯＭ領域のデータまたは識別情報を変調する光変調器、４はＲ／Ｗ領域の溝または識別情報を変調する光変調器で、２つの光変調器３と４は、「Ｒ／ＷとＲＯＭの切替え信号」によって、ＲＯＭ領域を形成しているときは光変調器４が、またＲ／Ｗ領域を形成しているときは光変調器３が、それぞれ出力を停止する。
【００１７】
５は偏向量制御部７からの信号によりビームを半径方向に振る光偏向器、６は偏向量制御部８からの信号によりビームを半径方向に振る光偏向器、７は識別情報／データタイミング情報により、識別情報を出力する時間においてのみ光偏向器５にデータピット幅の１／２の偏向命令を光偏向器５に与える偏向量制御部、８は識別情報／データタイミング情報により、識別情報を出力する時間においてのみ光偏向器６に溝幅の１／２の偏向命令を光偏向器６に与える偏向量制御部、９はビームエクスパンダで、ＲＯＭ領域のピット形成に最適なピット径になるよう、あらかじめ設定されている。１０はビームエクスパンダで、Ｒ／Ｗ領域の溝部または識別情報部のピット形成に最適なピット径になるよう、あらかじめ設定されている。
【００１８】
１１はビームエクスパンダ９と１０からのビームを束ねる偏光プリズムで、この偏光プリズム１１で束ねられた２つのビームは、記録レンズ１２でレジスト盤１３上に集光される。１４は記録レンズ１２の焦点を定めるためのビームを発光するヘリウム−ネオン（Ｈｅ−Ｎｅ）レーザ、１５はビームスプリッタで、Ｈｅ−Ｎｅレーザ１４からのビームを通過させるとともに、記録レンズ１２からの戻り光を光検知機１６に出力する。光検知機１６はビームスプリッタ１５からの戻り光からレンズの焦点方向のずれを検出し、その値をレンズ制御部１７に出力する。レンズ制御部１７は光検知機１６からのレンズの焦点方向ずれ値に応じて、記録レンズ１２の焦点方向の位置を制御する。
【００１９】
次に、上で述べた装置を使って記録（カッティング）するディスク原盤について説明する。図２はこの実施の形態１の光ディスク原盤記録装置でカッティングされる、光ディスクのトラック構造を示す図である。また、図３はこの実施の形態１の光ディスク原盤記録装置でカッティングされる、ディスクのＲ／Ｗ領域とＲＯＭ領域の境界付近で溝部溝間部境界でない箇所のトラック構造を示す図である。さらに図４はこの実施の形態１の光ディスク原盤記録装置でカッティングされるディスクのＲ／Ｗ領域とＲＯＭ領域の境界付近で溝部溝間部境界箇所のトラック構造を示す図である。図２、図３および図４においては、Ｒ／Ｗ領域がＲＯＭ領域に挟まれている構造をとっている。このディスクにおける書換え可能な領域（Ｒ／Ｗ領域）は、ディスク上に円周状に形成された溝部と、この溝部の間の溝間部の両方を情報記録部とし、ディスク一周分に相当する記録トラックを整数個の記録セクタで構成するとともに、各記録セクタ毎にアドレス情報などを表わす識別情報がプリフォーマットされ、前記溝部の記録トラックと前記溝間部の記録トラックを交互に接続して１本の記録スパイラルが形成されている。溝部と溝間部を接続している半径方向の境界部が図２および図４の溝部溝間部境界である。
【００２０】
ＲＯＭ領域とＲ／Ｗ領域は、ゾーン毎にどちらの領域にするかを設定するために、ＲＯＭ領域とＲ／Ｗ領域の境界はゾーンの境界となる。また、トラック１周あたりのセクタ数は、ゾーンが内周から外周にすすむにつれて１づつ増加する。そのため、図２および図３に示すように、溝部溝間部境界線上以外の識別情報部は半径方向に必ずしも一致しない。それぞれの識別情報部は、４つのＰＩＤ（Ｐｈｙｓｉｃａｌ  ＩＤ）部からなる。それぞれのＰＩＤは、読み取りクロックの基準信号を作るためのＶＦＯ（Ｖａｒｉａｂｌｅ  Ｆｒｅｑｕｅｎｃｙ  Ｏｓｃｉｌｌａｔｏｒ）、物理セクタアドレスなどが入っている。
【００２１】
図３および図４に示すように、Ｒ／Ｗ領域の溝幅と溝間幅は等しい。溝幅をＤｗとすると、識別情報部の４つのＰＩＤの先頭の２つは後続する情報記録部の溝位置に対して、溝中心から外周側に、Ｄｗ／２だけ内周側にずれている。後ろの２つのＰＩＤは後続する情報記録部の溝位置に対して、溝中心から内周側に、Ｄｗ／２だけ外周側にずれている。（ここでは、内周側、外周側に中心から交互にずれるのをウォブルしているという）ＲＯＭ部のデータプリピットはＲ／Ｗの溝部中心と溝間部中心の間隔で設けられている。識別プリピットもＲ／Ｗ部のＰＩＤと同様４つのＰＩＤからなる。先頭の２つはデータプリピット中心から、プリピット幅をＰｗとすると、Ｐｗ／２だけ外周側にずれている。後ろの２つのＰＩＤはデータプリピット中心からＰｗ／２だけ内周側にずれている。
【００２２】
Ｒ／Ｗ領域の溝部と溝間部の幅は同じである。また、左右にウォブルされている識別情報部の幅とも同じである。ＲＯＭ領域のデータプリピットと識別情報プリピットの幅は同じである。Ｒ／Ｗ領域とＲＯＭ領域とを比べた場合、ＲＯＭ領域のピット径の方が小さい。これは、ＲＯＭ領域において隣接トラックとのクロストークの低減のためである。それに対し、Ｒ／Ｗ領域の方は溝部と溝間部とで適切な段差があるためクロストークが少ない。よって、Ｒ／Ｗ領域とＲＯＭ領域とを比べた場合、同じ記録トラック間隔でもＲ／Ｗ領域の方がピット径が大きくてもよい。
【００２３】
さらに図３、図４に示すように、Ｒ／Ｗ領域はその領域境界に、溝部を設けないようにしている。つまり、Ｒ／Ｗ領域の記録トラック数は溝部と溝間部を比べると、
溝トラック数  ＋  １  ＝  溝間トラック数
の関係が成り立つ。このようにすることにより、ＲＯＭ領域のピットとＲ／Ｗ領域の溝とのクロストークを低減することが可能となる。
【００２４】
図５はこの実施の形態１の光ディスク原盤記録装置でカッティングされる、光ディスクのＲ／Ｗ領域の溝部溝間部境界線以外の識別情報部のアドレス値を示す図である。図に示すように、ディスクの外周部に溝中心からＤｗ／２ずれている最初の２つのＰＩＤのアドレス部には、後続する溝部のアドレスが記録されている。ディスクの内周部に溝中心からＤｗ／２ずれている後ろの２つのＰＩＤのアドレス部には、この溝部のセクタの内周に隣接した溝間部のセクタのアドレスが記録されている。
【００２５】
図６はこの実施の形態１の光ディスク原盤記録装置でカッティングされる、光ディスクのＲ／Ｗ領域の溝部溝間部境界線の識別情報部のアドレス値を示す図である。図に示すように、境界前の溝部からＤｗ／２だけ内周側にずれている先頭の２つのＰＩＤは、前記溝部のセクタに続く溝間部のセクタのディスク内周側に隣接する溝部のセクタのアドレスを表わす。境界前の溝部からＤｗ／２だけ外周側にずれている後ろの２つのＰＩＤは、前記溝部のセクタに続く溝間部のセクタのアドレスを表わす。
【００２６】
図７はこの実施の形態１の光ディスク原盤記録装置でカッティングされる、光ディスクのＲＯＭ領域の識別情報部のアドレス値を示す図である。なお、ＲＯＭ領域では、溝部溝間部境界線の識別情報も、それ以外の識別情報も配置の方法は同じである。ただし、図に示すように、データプリピット中心からディスクの外周側にＰｗ／２ずれている最初の２つのＰＩＤのアドレス部と、内周側にＰｗ／２ずれている後ろの２つのＰＩＤのアドレス部は、ともにつぎのデータプリピットのセクタアドレスを表わす。
このように、識別情報をデータプリピット中心から内周外周へウォブリングする以外に、識別情報のアドレス部はデータピット中心と一致させ、セクタ識別用ヘッダ部分だけがウォブルしているものもある。
【００２７】
図８はこの実施の形態１の光ディスク原盤記録装置でカッティングされる、光ディスクのＲＯＭ領域の識別情報部の他の形態を示す図である。図に示すように、識別信号中のアドレス情報はウォブルされていないが、セクタ識別用ヘッダは、データピット中心から内外周にピット幅の１／２だけウォブルされている。セクタ識別用ヘッダは、この位置に置くことに限らない。また、そのピットパターンは一通りとは限らず、識別に必要な種々のパターンを与えることが可能である。
【００２８】
Ｒ／Ｗ領域、ＲＯＭ領域とも識別情報部がウォブルされているのは、このウォブルによって光スポットのトラック方向の位置決め（トラッキングサーボ系のオフセット補償など）を行うためである。また、Ｒ／Ｗ領域の場合は、溝部溝間部境界の識別のためにも用いられる。これは、上記のように溝部溝間部境界ではそれ以外の識別情報と逆の方向にウォブルされているからである。つまり、溝の次に溝が続く場合は外周内周の順にウォブルしているのに対し、溝の次に溝間が続く場合は内周外周の順にウォブルしている。
【００２９】
以上述べたディスクを形成する場合に、この実施の形態１の原盤記録装置の動作を、図１と図９を用いて説明する。
図９はこの実施の形態１の光ディスク原盤記録装置の信号の出力のタイミングチャートである。ＲＯＭ領域を形成する場合は、「Ｒ／ＷとＲＯＭの切替え信号」がＲＯＭを示す。これにより、ＲＯＭ領域の識別情報やデータピットを形成するビームを変調する光変調器３がＯＮになり、Ｒ／Ｗ領域の識別情報や溝部を形成するビームを変調する光変調器４はＯＦＦになる。
【００３０】
図９に示すように「識別情報／データタイミング信号」が識別情報とデータとを記録するタイミングを出力しているが、この信号が識別情報／データ切替え制御部１９に入力され、「ＲＯＭ領域データ」と識別情報部データ生成部１８からの識別情報部データとを切り替える。識別情報／データ切替え制御部１９からの出力は、光変調器３で偏光ビームスプリッタ２からのビームを変調して光偏向器５へ出力される。偏向量制御部７は、「識別情報／データタイミング信号」により、識別情報の個所だけビームをウォブルさせる。ウォブル量は、図９に示すように、識別情報領域の前半は外周側にデータピット幅の１／２だけ外周側に、後半は内周側に同量である。光偏向器５からの出力は、ビームエクスパンダ９でＲＯＭ領域に記録するピット径になるよう、あらかじめ調整されている。ビームエクスパンダ９からの出力は、偏光プリズム１１、記録レンズ１２を経てレジスト盤１３上に集光される。
【００３１】
Ｒ／Ｗ領域を形成する場合は、「Ｒ／ＷとＲＯＭの切替え信号」がＲ／Ｗを示す。これにより、ＲＯＭ領域の識別情報やデータピットを形成するビームを変調する光変調器３がＯＦＦになり、Ｒ／Ｗ領域の識別情報や溝部を形成するビームを変調する光変調器４はＯＮになる。図９に示すように、「識別情報／データタイミング信号」が識別情報とデータとを記録するタイミングを出力しているが、この信号が識別情報／溝形成切替え制御部２０に入力され、識別情報／溝形成切替え制御部２０が持っている溝形成データと、識別情報部データ生成部１８からの識別情報部データとを切り替える。識別情報／溝形成切替え制御部２０からの出力は、光変調器４で偏光ビームスプリッタ２からのビームを変調して光偏向器６へ出力される。
【００３２】
偏向量制御部８は、「識別情報／データタイミング信号」により、識別情報の所定の個所だけビームをウォブルさせる。ウォブル量は、図８に示すように、識別情報領域の前半は溝幅の１／２だけ外周側に、後半は内周側に同量である。ただし、光ビームは溝部溝間部境界線を区切りとして、１周毎にオンとオフが切り替わる。溝部のトラックを形成するときにオン、溝間部のトラックに相当する部分ではオフになる。これによって、溝部の記録トラックと溝間部の記録トラックが交互に接続された１本の記録スパイラルが形成される。溝部溝間部境界線の認識は、アドレス管理を行なっている識別情報部データ生成部１８から得る。光偏向器６からの出力は、ビームエクスパンダ１０でＲ／Ｗ領域に記録する溝幅（＝識別情報幅）になるよう、あらかじめ調整されている。ビームエクスパンダ１０からの出力は、偏光プリズム１１、記録レンズ１２を経てレジスト盤１３上に集光される。
【００３３】
以上述べたように、この実施の形態においては、ＲＯＭ領域とＲ／Ｗ領域を形成するそれぞれのビームを別々の光偏向器を通過するようにし、かつ、それらの光偏向量がＲＯＭ領域とＲ／Ｗ領域のそれぞれの識別情報部のウォブル量になるように構成されているため、ＲＯＭ領域とＲ／Ｗ領域が混在し、かつ、それぞれの領域の識別情報のウォブル量が違うディスクを精度よく作成することが可能となる。
【００３４】
また、ＲＯＭ領域を記録するビームの光偏向器の偏向量は、例えば±Ｐｗ／２（Ｐｗはプリピット幅）、Ｒ／Ｗ領域を記録するビームの光偏向器の偏向量は、例えば±Ｄｗ／２（Ｄｗは溝幅）と一定量なので、調整が容易になる。
なお、ここに例示したウォブル量は一例であり、実際の装置では、ここに示した装置構成により信号再生に最適なウォブル量に設定できることはいうまでもない。
【００３５】
実施の形態２．
以下、この発明の実施の形態２を図に基づいて説明する。
図１０はこの発明の実施の形態２の光ディスク原盤記録装置の光学系の構成を示すブロック図で、図１と同一符号はそれぞれ同一または相当部分を示しており、それぞれ同様に作用するので、ここでは実施の形態１との相違点を中心に説明する。図１０において、２１は偏向量制御部で、「識別情報／データタイミング信号」により、識別情報を記録するときにのみ偏光プリズム１１からのビームの変更を行う。また、識別情報／データ生成部１９から、記録している領域がＲＯＭ領域なのか、Ｒ／Ｗ領域なのか、さらに溝部溝間部境界線なのかのデータを得る。２２は光偏向器で、ＲＯＭ記録用ビーム、Ｒ／Ｗ記録用ビームの両方のビームを偏向させる。
【００３６】
図１１はこの実施の形態２の光ディスク原盤記録装置の信号のタイミングチャートである。この図でＲＯＭ領域、Ｒ／Ｗ領域、ＲＯＭ領域の順に記録していくことを説明する。図に示されるビームパワーは、図１０の記録レンズ１２へ入射するビームのパワーを示す。また、ビーム偏向量は、図１０の偏向量制御部２１からのビーム偏向量の向きと大きさを示すものである。ＲＯＭ領域を記録するときは、データ（識別情報部データも含む）で変調されたビームが出力される。また、偏向量は識別情報部を記録するときに、外周内周の順にウォブルするよう制御される。その後ＲＯＭ領域の最後のトラックを記録した後、Ｒ／Ｗ領域へはいるとまず溝間トラックを形成するためにＬトラックの１周分はビームパワーは０になる。Ｌトラック１周を形成した後、Ｇトラックを形成するのでビームパワーは溝部を形成するのに適した状態で入射される。識別情報部を形成するときは、その情報で変調されたビームが、また、溝を形成するときは一定パワーのビームが入射される。Ｇトラックの形成が終わるとＬトラックの形成が始まり、ビームは入射されない。ここで、入射を止めるのは光変調器３、４でおこなうこともできるし、アルゴンレーザ１のスウィッチングや光路の遮蔽等によっておこなえる。また、Ｌトラック形成時はビームが入射されないので、ビーム偏向量の設定は不要である。しかしここでは、制御の容易性から、偏向量はＬトラック、Ｇトラック共に設定している。以下１周毎にＬ、Ｇを切り替えてＲ／Ｗを形成してゆく。最後のトラックはＬトラックとなるよう記録する。これはＲＯＭ領域とＲ／Ｗ領域との境界でのクロストーク低減のためにおこなうものである。Ｒ／Ｗ領域が終わるとＲＯＭ領域の記録が始めのＲＯＭ領域と同様にして記録されゆく。
【００３７】
このように、ＲＯＭ領域からＲ／Ｗ領域に切り替えられた直後の１トラックに相当する間、光変調器の出力を停止させる。また、Ｒ／Ｗ領域からＲＯＭ領域に切り替えられる直前の１トラックに相当する間、光変調器の出力を停止させる。
【００３８】
これにより、光ディスク原盤上のＲＯＭ領域に形成されるピットと、Ｒ／Ｗ領域に形成されるピットや溝部との間隔を十分にとることができ、ディスク形成工程において、ＲＯＭ領域のピットとＲ／Ｗ領域のピットや溝部との間がつながったり、この間の溝間部が十分平坦に形成されなくなる等の不良発生を防止することができる。
【００３９】
また、この方法を用いて記録された光ディスク原盤を用いて光ディスク媒体を製造したとき、ＲＯＭ領域のピット列とＲ／Ｗ領域の溝部との間隔が十分に取られるので、トラッキングが容易である。
【００４０】
原盤記録装置において、実施の形態１との相違は、図１におけるＲＯＭ用の光偏向器５と偏向量制御部７、Ｒ／Ｗ用の光偏向器６と偏向量制御部８がなく、代わりにその両方の役目をあわせ持つ光偏向器２２と偏向量制御部２１を設けたものである。
【００４１】
これにより、ＲＯＭ領域用とＲ／Ｗ領域用の光偏向器と偏向量制御部を共用化することにより、ひとつの偏向器と偏向量制御部とで２種のウォブル量の制御をあわせ持たせることとなり、装置の簡略化が図れる。
【図面の簡単な説明】
【００４２】
【図１】この発明の実施の形態１の光ディスク原盤記録装置の光学系の構成例を示すブロック図である。
【図２】実施の形態１の光ディスク原盤記録装置でカッティングされる光ディスクのトラック構造を示す図である。
【図３】実施の形態１の光ディスク原盤記録装置でカッティングされる、ディスクのＲ／Ｗ領域とＲＯＭ領域の境界付近で溝部溝間部境界でない箇所のトラック構造を示す図である。
【図４】実施の形態１の光ディスク原盤記録装置でカッティングされるディスクのＲ／Ｗ領域とＲＯＭ領域の境界付近で溝部溝間部境界箇所のトラック構造を示す図である。
【図５】実施の形態１の光ディスク原盤記録装置でカッティングされる光ディスクのＲ／Ｗ領域の溝部溝間部境界線以外の識別情報部のアドレス値を示す図である。
【図６】実施の形態１の光ディスク原盤記録装置でカッティングされる光ディスクのＲ／Ｗ領域の溝部溝間部境界線の識別情報部のアドレス値を示す図である。
【図７】実施の形態１の光ディスク原盤記録装置でカッティングされる光ディスクのＲＯＭ領域の識別情報部のアドレス値を示す図である。
【図８】実施の形態１の光ディスク原盤記録装置でカッティングされる光ディスクのＲＯＭ領域の識別情報部のアドレス値を示す図である。
【図９】実施の形態１の光ディスク原盤記録装置の信号の出力のタイミングチャートである。
【図１０】この発明の実施の形態２の光ディスク原盤記録装置の光学系の構成を示すブロック図である。
【図１１】実施の形態２の光ディスク原盤記録装置の信号のタイミングチャートである。
【図１２】従来の光ディスク原盤記録装置の２ビームカッティング用の光学系を示す図である。
【図１３】従来の光ディスク原盤記録装置でカッティングされるＲ／Ｗ型光ディスクのトラック構造を示す図である。
【図１４】従来の光ディスク装置でカッティングされるＲ／Ｗ型光ディスクの識別情報の配置およびアドレス値を示す図である。
【符号の説明】
【００４３】
１  アルゴンレーザ、  ２  偏光ビームスプリッタ、  ３，４  光変調器、  ５，６  光偏向器、  ７  偏向量制御部、  ８  偏向量制御部、  ９，１０  ビームエクスパンダ、  １１  偏光プリズム、  １２  記録レンズ、  １３  レジスト盤、  １４  Ｈｅ−Ｎｅレーザ、  １５  ビームスプリッタ、  １６  光検知機、  １７  レンズ制御部、  １８  識別情報部データ生成部、  １９  識別情報／データ切替え制御部、  ２０  識別情報／溝形成切替え制御部、  ２１  偏向量制御部、  ２２  光偏向器。
【図１】
2005259352.tif 000003
【図２】
2005259352.tif 000004
【図３】
2005259352.tif 000005
【図４】
2005259352.tif 000006
【図５】
2005259352.tif 000007
【図６】
2005259352.tif 000008
【図７】
2005259352.tif 000009
【図８】
2005259352.tif 000010
【図９】
2005259352.tif 000011
【図１０】
2005259352.tif 000012
【図１１】
2005259352.tif 000013
【図１２】
2005259352.tif 000014
【図１３】
2005259352.tif 000015
【図１４】
2005259352.tif 000016